(57)【特許請求の範囲】
【請求項１】
前後に対向配置された一対の挟持板を有し、ポールを、一方の挟持板に対して該挟持板の背部に前後動可能に連結すると共に、他方の挟持板とはアーム体を介して固定配置し、ポールに対して前記一方の挟持板を前後動させることで挟持対象を挟持するアンテナ取付装置において、
一方の挟持板背部にポールを連結するポール保持部を設け、該ポール保持部は前後方向に配設したボルト及びポールの傾倒を防止する傾倒防止手段を有し、ポールに前記ボルトを挿通してポールを連結すると共に、ポールを前記傾倒防止手段により立設固定可能としたことを特徴とするアンテナ取付け装置。
【請求項２】
傾倒防止手段は、略中央にボルト螺入部を有すると共に、ポールの左右への傾倒を防止するポール保持手段を具備し、ボルトを螺着して傾倒防止手段を前後動させることで挟持板を挟持動作させ、更にポールを保持固定する請求項１記載のアンテナ取付け装置。
【発明の詳細な説明】
【０００１】
【発明の属する技術分野】
本発明は、ベランダやバルコニー等にアンテナを取り付けるためのアンテナ取付け装置に関する。
【０００２】
【従来の技術】
ベランダやバルコニー等のコンクリート壁部を利用してパラボラアンテナ等のアンテナを設置しようとした場合、図５に示すようなアンテナ取付け装置を使用していた。これは、壁部を挟持してポールを立設固定させ、そのポールにアンテナを装着するもので、壁部を挟持する一対の挟持板１７ａ，１７ｂ、略コ字状に形成されたアーム１８、アーム１８を前後動させるアーム保持部１９、そしてアーム保持部１９に固着立設されたポール２０とから成り、アーム２０は基端部がアーム保持部１９に挿入されて、アーム保持部前面から挿入されたボルト２１に連結され、ボルト２１の回転操作により前後動するよう形成されている。そして、アーム保持部１９の後端には一方の挟持板１７ａが固着されると共に、アーム１８の先端にはその挟持板１７ａに対向配置されるよう他方の挟持板１７ｂが取り付けられている。
この取付け装置の壁面への装着は、ボルト２１を操作して略コ字状のアーム１８を前後動させて、アーム１８の先端に設けた他方の挟持板１７ｂを前後動させ、壁面を挟持固定する。固定後、アンテナをポール２０に装着してアンテナの取付けは終了する。
【０００３】
【発明が解決しようとする課題】
しかし、上記アンテナ取付け装置の場合、アーム１８は略コ字状に形成され、一方の挟持板１７ａから他方の挟持板１７ｂの背部まで長く伸びた形状であるため、重量が嵩み、重く扱い辛いものとなっていた。
そこで、本発明はそのような問題点に鑑み、軽量化を図り扱い易くしたアンテナ取付け装置を提供することを課題とする。
【０００４】
【課題を解決するための手段】
上記課題を解決するため、請求項１の発明は、前後に対向配置された一対の挟持板を有し、ポールを、一方の挟持板に対して該挟持板の背部に前後動可能に連結すると共に、他方の挟持板とはアーム体を介して固定配置し、ポールに対して前記一方の挟持板を前後動させることで挟持対象を挟持するアンテナ取付装置において、一方の挟持板背部にポールを連結するポール保持部を設け、該ポール保持部は前後方向に配設したボルト及びポールの傾倒を防止する傾倒防止手段を有し、ポールに前記ボルトを挿通してポールを連結すると共に、ポールを前記傾倒防止手段により立設固定可能としたことを特徴とする。
【０００６】
請求項２の発明は請求項１の発明において、傾倒防止手段は、略中央にボルト螺入部を有すると共に、ポールの左右への傾倒を防止するポール保持手段を具備し、ボルトを螺着して傾倒防止手段を前後動させることで、挟持板を挟持動作させ、更にポールを保持固定することを特徴とする。
【０００７】
【発明の実施の形態】
以下、本発明を具体化した実施の形態を、図面に基づいて詳細に説明する。図１は本発明の実施形態の一例を示すアンテナ取付け装置の斜視図であり、１はアンテナを装着するポール、２はフェンスやコンクリート壁等の挟持対象を挟持してポール１を立設する一対の挟持板である。
【０００８】
ポール１の側部には後方に延びた棒状のアーム体３の一端が固着され、アーム体３の他方は下方に折り曲げられて全体が略Ｌ字状に形成され、折り曲げ形成されたアーム体３の後端には前方へ向けて、即ちポール１側に向けて後側挟持板２ｂが固着されている。
前側挟持板２ａは、背部となる前方に前後方向に長く且つ上下方向に開口してポール挿入空間を形成したポール保持部４を有し、このポール保持部４は略Ｕ字状に折り曲げて形成された枠体から成り、先端が前側挟持板背面に溶接されている。そして、ポール下部がこのポール保持部４に挿入され、ボルト５によりポール保持部４に連結されている。
【０００９】
図２はポール保持部４の平面説明図を示し、ポール保持部４の左右側板は平行に配置され、ポール１は下部に前後方向に貫通孔７ａ，７ｂが形成され、ポール保持部前面から後方に向けて挿入されたボルト５が挿通されて連結され、ボルト５はポール１を介してナット板８に螺着されている。このようにポール１はボルト５によりポール挿入部を介して前側挟持板に連結されている。
【００１０】
ナット板８は図３の斜視図に示す形状を成し、中央にボルト５を螺入する雌ネジ部９が形成され、上端及び下端のそれぞれ左右４ヶ所にポール保持部４の枠体の上辺及び下辺に係止する係止片１０が突設され、前後方向への傾斜を阻止し、雌ねじ部９が常にポール保持部４の略中央に位置するようになっている。また、ポール保持部４内に配設されるナット板胴部の幅Ｗ１はポール保持部４の幅Ｗ２と略等しく形成され、横方向にも傾斜しないように形成されている。
そして、雌ねじ部９を中心として上部及び下部の左右対象位置の４ヶ所に、ナット板８の一部をポール側である前方に折り曲げられた舌片１１が形成されている。この舌片１１は左右一対で略ハ字状になるよう折り曲げられ、ポールを挟み込みよう形成され、挟持板２を挟持操作した際にポール１を支えて傾倒やぐらつきを無くす作用をし、ナット板８がポール１の傾倒を防止する傾倒防止手段となっている。
【００１１】
次に、上記アンテナ取付け装置の装着操作を説明する。ボルト５の回転操作によりナット板８は前後動する。即ちナット板８を基準にすると前側挟持板２ａが前後動し、挟持板間の距離を調節できる。そこで、まずボルト５を操作して挟持板間を挟持対象の厚みより広くし、挟持対象を挟持板間に挿入する。尚、このとき、アンテナ取付け装置の前面方向を外側に向けて配置すれば、内側への突出量を小さくでき、邪魔になることがない。
挟持対象を挿入後、挟持操作をする。ナット板８が前方へ移動するよう、即ちポール１へ近づくようボルト５を回転操作する。この操作で、挟持板間は狭くなり挟持対象は挟持される。このボルト５の操作を更に続けることで、挟持板２は挟持対象を挟持してアンテナ取付け装置は固定される。そして同時に、挟持する力の反作用がポール１とナット板８間に加わり、ポール１はナット板８に圧接されて舌片１１により挟持され、傾倒することなく立設固定される。その後アンテナをポールに装着すればよい。
【００１２】
このように、一方の挟持板から延びたアーム体をポール側部に固着して、ポールを一方の挟持板の背部に連結するので、双方の挟持板を連結する部材の一部をポールで兼用するため、部材を削減でき、軽量化を図ることができ扱いやすい。
また、ポールは傾倒防止手段であるナット板により立設した状態で固定されるので、簡単な操作でアンテナの安定した固定が可能であるし、ナット板はボルトを螺入して挟持板を挟持動作させるナットでもあり、別途ナットを必要としない。従って、部材を削減でき、簡易な構成にできる。
【００１３】
尚、ナット板は金属板により形成した例を示したが、樹脂成形により形成することもでき、その場合、舌片は凸部として同様に４ヶ所に設けても良いし、雌ねじ部の左右に帯状に縦に平行な２本の突起体を形成しても良い。また、ポールはアーム体により連結した後方の挟持板により主に支持されるので、ポール下部の挟持板は後方の挟持板に比べて幅を狭くしてもポールの安定した装着が可能であり、そうすることでベランダ等のコンクリート壁の上部に手摺が設けられている場合であっても、分解することなくポールを連結したまま手前の挟持板を手摺とコンクリート壁の間の隙間から通すことができ、装着操作を容易に行うことができる。
【００１４】
図４はポール保持部の他の例を示している。上記図１との相違点を説明すると、ナット板１３に舌片を形成せず、別途ポール保持部左右内壁に傾倒防止板１４を設けている。この傾斜防止板１４は樹脂製板体を添着して形成され、ポール１とポール保持部４の側板との隙間を埋めるように設けられている。このようにナット板に舌片を設けなくとも、ポール左右の隙間をなくすことで、ポール１が左右に傾倒することがなくなる。また、前後方向に対しては、ナット板１３の圧接により傾斜することがない。
【００１５】
【発明の効果】
以上詳述したように、請求項１の発明によれば、一方の挟持板から延びたアーム体をポール側部に固着して、ポールを一方の挟持板の背部に連結するので、双方の挟持板を連結する部材の一部をポールで兼用するため、部材を削減でき、軽量化を図ることができ、扱いやすい。
【００１６】
そして、ポールは一方の挟持板の背部に固定されるので、簡単な操作でアンテナの安定した固定が可能である。
また、請求項２の発明によれば、傾倒防止手段が、ボルトを螺入して挟持板を挟持動作させるナットでもあり、別途ナットが必要ない。従って、部材を削減でき、簡易な構成にできる。
【図面の簡単な説明】
【図１】本発明の実施形態の一例を示すアンテナ取付け装置の斜視図である。
【図２】図１のポール保持部の平面説明図である。
【図３】図１のナット板の斜視図である。
【図４】本発明の他の形態を示すポール保持部の平面説明図である。
【図５】従来のアンテナ取付け装置の斜視図である。
【符号の説明】
１・・ポール、２・・挟持板、２ａ・・前側挟持板、２ｂ・・後側挟持板、３・・アーム体、４・・ポール保持部、５・・ボルト、８・・ナット板、１１・・舌片、１３・・ナット板、１４・・傾倒防止板。
【図１】
0004643037.tif 000002
【図２】
0004643037.tif 000003
【図３】
0004643037.tif 000004
【図４】
0004643037.tif 000005
【図５】
0004643037.tif 000006